(57)【特許請求の範囲】
【請求項１】
水洗便器本体に形成されたリム部及びこのリム部に洗浄水を供給するリムノズルを有する水洗便器のリム吐水口構造であって、
上記リムノズルから吐出される洗浄水を受け止めるように形成された空間部と、
この空間部の先端側に形成され洗浄水を上記リム部に吐出するためのリム吐水口と、
上記空間部内における上記リムノズルの吐水口に対向する位置に且つ上記リムノズルの吐水口の中心軸線の延長線上に設けられ、上記リムノズルから吐出される洗浄水が衝突する遮蔽部と、を有し、
上記遮蔽部は、上記リムノズルの先端部に対向する位置で上記リムノズルに取り付けられており、洗浄水は上記遮蔽部に衝突した後に上記リム吐水口から吐出されることを特徴とする水洗便器のリム吐水口構造。
【請求項２】
上記遮蔽部は、上記リムノズルに取り付けられるキャップ部に形成され、そのキャップ部の周囲に、そのキャップ部の遮蔽部に衝突した洗浄水が流出する開口部が形成されている請求項１記載の水洗便器のリム吐水口構造。
【請求項３】
上記キャップ部は、基端部と、上記遮蔽部を構成する終端部と、を有し、上記開口部は、上記基端部に隣接して上記キャップ部のほぼ全周にわたって設けられ、その開口部と上記終端部との間には、遮蔽部に衝突した洗浄水の流速を下げるための所定長さの導水路が形成されている請求項２記載の水洗便器のリム吐水口構造。
【請求項４】
上記開口部には、整流部材が取り付けられている請求項３記載の水洗便器のリム吐水口構造。
【請求項５】
上記整流部材は、開口部のほぼ全周にわたり取り付けられている網である請求項４記載の水洗便器のリム吐水口構造。
【請求項６】
水洗便器本体に形成されたリム部及びこのリム部に洗浄水を供給するリムノズルを有する水洗便器のリム吐水口構造であって、
上記リムノズルから吐出される洗浄水を受け止めるように形成された空間部と、
この空間部の先端側に形成され洗浄水を上記リム部に吐出するためのリム吐水口と、
上記空間部内における上記リムノズルの吐水口に対向する位置に且つ上記リムノズルの吐水口の中心軸線の延長線上に設けられ、上記リムノズルから吐出される洗浄水が衝突する遮蔽部と、を有し、
上記空間部内の上記リムノズルの吐水口に対向した位置に、上方或いは下方から突出して上記遮蔽部となる遮蔽部材が一体成型され或いは取り付けられており、洗浄水は上記遮蔽部に衝突した後に上記リム吐水口から吐出されることを特徴とする水洗便器のリム吐水口構造。
【請求項７】
水洗便器本体に形成されたリム部及びこのリム部に洗浄水を供給するリムノズルを有する水洗便器のリム吐水口構造であって、
上記リムノズルから吐出される洗浄水を受け止めるように形成された空間部と、
この空間部の先端側に形成され洗浄水を上記リム部に吐出するためのリム吐水口と、
上記空間部内における上記リムノズルの吐水口に対向する位置に且つ上記リムノズルの吐水口の中心軸線の延長線上に設けられ、上記リムノズルから吐出される洗浄水が衝突する遮蔽部と、を有し、
洗浄水は上記遮蔽部に衝突した後に上記リム吐水口から吐出され、
さらに、上記空間部の上方に設けられ上記空間部内に滞留した空気を排出する空気ポートを有し、
上記リム吐水口の断面積は上記空間部の断面積よりも小さく、上記空間部に上記遮蔽部が形成され、
上記空間部内に吐出された洗浄水が上記空間部に溜まるにつれて上記空間部に残留した空気が上記空気ポートから吐出されるようになっていることを特徴とする水洗便器のリム吐水口構造。
【請求項８】
上記空間部を形成する壁部の一部が上記遮蔽部を構成している請求項７記載のリム吐水口構造。
【発明の詳細な説明】
【技術分野】
【０００１】
本発明は、水洗便器のリム吐水口構造に係り、特に、水洗便器本体に形成されたリム部及びこのリム部に洗浄水を供給するリムノズルを有する水洗便器のリム吐水口構造に関する。
【背景技術】
【０００２】
従来、リム吐水を行う場合、清掃性の向上や外観デザインを損なわないようにボウル部側には陶器のリム吐水口しか見えないようにし、そのためその吐水口の手前に空間部を設け、その空間部に吐水ノズル先端を位置させた吐水構造が知られている。ところが、ノズルから吐出された洗浄水が空間内の空気を巻き込みながら陶器の吐水口から吐出されるので、吐水が不安定になったり、水はねや異音の発生を引き起こす場合があった。
【０００３】
ここで、特許文献１には、水洗便器本体のリム部に洗浄水を流して便器を洗浄すると共に汚物を流すようにした水洗便器が開示されている。この特許文献１に開示された水洗便器によれば、図１１に示すように、洗浄水を吐出する洗浄水ノズル１００の出口側に空間Ｓｃを設け、この空間Ｓｃ内に洗浄水を一時的に滞留させ、その空間Ｓｃの出口である陶器吐水口１０２に水圧を加えることにより、吐水口１０２から吐出される洗浄水の整流化等を行うようにしている。この特許文献１に記載の水洗便器では、リム吐水用の洗浄水ノズルの手前に空気取入部を設けることにより、エジェクタ効果により空気を吸気して、気泡を含んだ洗浄水をリム吐水の洗浄水として流して、水跳ねや騒音が少なくなるようにしている。
【０００４】
【特許文献１】特開２００４−１５６３０８号公報
【発明の開示】
【発明が解決しようとする課題】
【０００５】
しかしながら、上述した特許文献１の水洗便器では、リム吐水用の洗浄水ノズルの手前に空気取入部を設けることにより部品点数が増えてコストが増大するという問題があった。さらに、そのような空気取入部の固定収納スペースの確保が出来ないレイアウトには適用できないという不具合があった。そこで、本発明者らは、空気取入部を設けないリム吐水を実現すべく研究を重ねた。
【０００６】
ところが、空気を混入させないで洗浄水をノズルから一気に吐出させると、吐出される洗浄水は、陶器吐水口付近の内壁に当たりながら一気に吐水口を塞ぐことになる。その際、吐出された洗浄水の一部は、一気に陶器吐水口から直接吐出されることになり、また、空間内には、大きな気泡（空気）を閉じこめてしまう。陶器吐水口から一気に吐出される洗浄水は、空気を巻き込みながら吐出される。また、大きな気泡と洗浄水との間の界面は、表面張力が相対的に小さいため安定せず、その結果、流れが不安定となり、空気を巻き込みながら陶器吐水口から吐出される。
【０００７】
そして、ノズルから吐出される洗浄水の流速が比較的大きな場合、比較的大きな気泡を巻き込みながら洗浄水が陶器吐水口から吐出されるので、特にリム吐水による洗浄の初期段階において、例えば「ボンッ」という音や「ポンポンポン」というような空気の炸裂音或いは混じり音が生じたり、大流量では水（しぶき）が飛んでしまうという問題があった。
【０００８】
なお、空間部を設けない場合には、樹脂或いは金属製のリムノズルを陶器導水路の出口に近接して或いは直接設ける必要があるが、この場合は、ノズルによる吐水方向及び旋回方向の所定の精度を得るために、組立時の高い組立精度が求められる。また、排泄物や汚水の付着や、陶器導水路内の衛生も保てない場合があるので現実的ではない。
【０００９】
本発明は、上述した従来技術の問題点を解決するためになされたものであり、安定したリム吐水を行うことが出来る水洗便器のリム吐水口構造を提供することを目的とする。
【課題を解決するための手段】
【００１０】
上記の目的を達成するために本発明は、水洗便器本体に形成されたリム部及びこのリム部に洗浄水を供給するリムノズルを有する水洗便器のリム吐水口構造であって、リムノズルから吐出される洗浄水を受け止めるように形成された空間部と、この空間部の先端側に形成され洗浄水をリム部に吐出するためのリム吐水口と、空間部内におけるリムノズルの吐水口に対向する位置に且つ上記リムノズルの吐水口の中心軸線の延長線上に設けられ、リムノズルから吐出される洗浄水が衝突する遮蔽部と、を有し、遮蔽部は、リムノズルの先端部に対向する位置でリムノズルに取り付けられており、洗浄水は遮蔽部に衝突した後にリム吐水口から吐出されることを特徴としている。
このように構成された本発明においては、リムノズルから吐出される洗浄水を受け止めるように形成された空間部内でリムノズルの吐水口に対向する位置に設けられ、リムノズルから吐出される洗浄水が衝突する遮蔽部を有し、洗浄水は遮蔽部に衝突した後にリム吐水口から吐出される。このような構成では、遮蔽部に衝突した洗浄水はその流速が小さくなる。従って、洗浄水が直接吐水口へ向け早い流速で突入することを防止し、洗浄水を空間部に一時的に滞留させることが出来ると共に空間部の空気をゆっくりと押し出すようにして、空気が多く残留しないようにしながら、洗浄水の吐出を安定させることが出来る。
また、洗浄水の流速が小さいので、洗浄水が空気を大きく巻き込みながら吐出されることを防止することが出来る。さらに、遮蔽部のリムノズルの先端部からの距離を適正に設定し易くなる。また、ノズルに併設するので、陶器からなる便器側の構造を複雑にしなくて済む。
【００１２】
また、本発明において、好ましくは、遮蔽部は、リムノズルに取り付けられるキャップ部に形成され、そのキャップ部の周囲に、そのキャップ部の遮蔽部に衝突した洗浄水が流出する開口部が形成されている。
このように構成された本発明においては、キャップ部に遮蔽部を形成し、遮蔽部に衝突した洗浄水が流出する開口部がキャップ部の周囲に形成されている。このような構成により、遮蔽部に洗浄水が衝突すると共にキャップ部の周囲に形成された開口部から側方に洗浄水が流れるので、簡易な構成で洗浄水の流速を下げることが出来、さらに、空間部の空気を押し出し易くなる。
【００１３】
また、本発明において、好ましくは、キャップ部は、基端部と、遮蔽部を構成する終端部と、を有し、開口部は、基端部に隣接してキャップ部のほぼ全周にわたって設けられ、その開口部と終端部との間には、終端部に衝突した洗浄水の流速を下げるための所定長さの導水路が形成されている。
このように構成された本発明においては、遮蔽部として形成された終端部と、導水路とキャップの基端部との間に形成された開口部とを有し、さらに、終端部に衝突した洗浄水の流速を下げるための所定長さの導水路を有するので、より確実に洗浄水の流速を下げることが出来る。
【００１４】
また、本発明において、好ましくは、開口部には、整流部材が取り付けられている。
このように構成された本発明においては、洗浄水をより確実に終端部に衝突させることが出来る。即ち、整流部材を設けない場合には、洗浄水が終端部に届く前に開口部から流出して空気を巻き込んで陶器吐水口から吐出させてしまう恐れがあるが、開口部に整流部材を取り付けることにより、洗浄水の整流性を確保して、洗浄水をより確実に終端部に衝突させることが出来る。
【００１５】
また、本発明において、好ましくは、整流部材は、開口部のほぼ全周にわたり取り付けられている網である。
このように構成された本発明においては、整流部材が網であるので、終端部に衝突してから逆流してくる流速の小さい洗浄水の開口部からの洗浄水の流出も可能である。
【００１６】
また、本発明は、水洗便器本体に形成されたリム部及びこのリム部に洗浄水を供給するリムノズルを有する水洗便器のリム吐水口構造であって、リムノズルから吐出される洗浄水を受け止めるように形成された空間部と、この空間部の先端側に形成され洗浄水をリム部に吐出するためのリム吐水口と、空間部内におけるリムノズルの吐水口に対向する位置に且つリムノズルの吐水口の中心軸線の延長線上に設けられ、リムノズルから吐出される洗浄水が衝突する遮蔽部と、を有し、空間部内のリムノズルの吐水口に対向した位置に、上方或いは下方から突出して遮蔽部となる遮蔽部材が一体成型され或いは取り付けられており、洗浄水は上記遮蔽部に衝突した後に上記リム吐水口から吐出されることを特徴としている。
このように構成された本発明においては、リムノズルから吐出される洗浄水を受け止めるように形成された空間部内でリムノズルの吐水口に対向する位置に設けられ、リムノズルから吐出される洗浄水が衝突する遮蔽部を有し、洗浄水は遮蔽部に衝突した後にリム吐水口から吐出される。このような構成では、遮蔽部に衝突した洗浄水はその流速が小さくなる。従って、洗浄水が直接吐水口へ向け早い流速で突入することを防止し、洗浄水を空間部に一時的に滞留させることが出来ると共に空間部の空気をゆっくりと押し出すようにして、空気が多く残留しないようにしながら、洗浄水の吐出を安定させることが出来る。
また、洗浄水の流速が小さいので、洗浄水が空気を大きく巻き込みながら吐出されることを防止することが出来る。さらに、簡易な構成で遮蔽部を形成することが出来る。
【００１７】
また、本発明は、水洗便器本体に形成されたリム部及びこのリム部に洗浄水を供給するリムノズルを有する水洗便器のリム吐水口構造であって、リムノズルから吐出される洗浄水を受け止めるように形成された空間部と、この空間部の先端側に形成され洗浄水をリム部に吐出するためのリム吐水口と、空間部内における上記リムノズルの吐水口に対向する位置に且つリムノズルの吐水口の中心軸線の延長線上に設けられ、リムノズルから吐出される洗浄水が衝突する遮蔽部と、を有し、洗浄水は遮蔽部に衝突した後にリム吐水口から吐出され、さらに、空間部の上方に設けられ空間部内に滞留した空気を排出する空気ポートを有し、リム吐水口の断面積は空間部の断面積よりも小さく、空間部に遮蔽部が形成され、空間部内に吐出された洗浄水が空間部に溜まるにつれて空間部に残留した空気が空気ポートから吐出されるようになっていることを特徴としている。
このように構成された本発明においては、リムノズルから吐出される洗浄水を受け止めるように形成された空間部内でリムノズルの吐水口に対向する位置に設けられ、リムノズルから吐出される洗浄水が衝突する遮蔽部を有し、洗浄水は遮蔽部に衝突した後にリム吐水口から吐出される。このような構成では、遮蔽部に衝突した洗浄水はその流速が小さくなる。従って、洗浄水が直接吐水口へ向け早い流速で突入することを防止し、洗浄水を空間部に一時的に滞留させることが出来ると共に空間部の空気をゆっくりと押し出すようにして、空気が多く残留しないようにしながら、洗浄水の吐出を安定させることが出来る。また、洗浄水の流速が小さいので、洗浄水が空気を大きく巻き込みながら吐出されることを防止することが出来る。さらに、リムノズルから吐出された洗浄水がリム吐水口で圧損を受けるが、この場合でも、さらにリムノズルから洗浄水が吐出されるため、空間部内の空気を、洗浄水と置換されるように、空気ポートから排出させることが出来る。
【００１８】
また、本発明において、好ましくは、空間部を形成する壁部の一部が遮蔽部を構成している。
このように構成された本発明においては、簡易な構成で遮蔽部を形成することが出来る。
【発明の効果】
【００１９】
本発明によれば、安定したリム吐水を行うことが出来る。
【発明を実施するための最良の形態】
【００２０】
以下、本発明の実施形態を添付図面を参照して説明する。
先ず、図１により、本発明の実施形態による水洗便器のリム吐水口構造が適用された水洗便器を説明する。図１は、本発明の第１実施形態による水洗便器の平面図である。なお、第２実施形態及び第３実施形態も、この図１と同様の水洗便器に適用したものである。
図１に示すように、水洗便器１は、バルブユニット２、このバルブユニット２からリム側へ給水するリム側給水路４、バルブユニット２からタンク６側へ給水するタンク側給水路８を有する。また、水洗便器１は、その本体にボウル部１０及びリム部１２が形成されている。ボウル部１０には、ゼット口１４が形成されており、タンク６から電動ポンプ（図示せず）により給水される。
【００２１】
次に、図２及び図３により、本発明の第１実施形態によるリムノズル及び空間部の構造を説明する。図２は、図１のIIの部分を拡大して示すリムノズル及び空間部を上方から見た断面図であり、図３は、図１のIII-III線に沿って見たリムノズル及び空間部の側方から見た断面図である。
図２及び図３に示すように、リム吐水部２０は、陶器吐水口２２、空間部（陶器導水路）Ｓ、リムノズル取付口２４及びこのリムノズル取付口２４に取り付けられたリムノズル２６を有する。このリムノズル２６には、リム側給水路４が接続されており、洗浄時には、洗浄水が、リム側給水路４、リムノズル２６、空間部Ｓを順に通って、陶器吐水口２２から吐出されるようになっている。
【００２２】
図２に示すように、空間部Ｓは、平面視で、先端の陶器吐水口２２に向かうにつれて徐々にその幅が小さくなるように形成されている。また、図３に示すように、側面視では、空間部Ｓは、一定の高さで形成された部分Ｓ１と、その先端側で徐々にその高さが小さくなるように形成された部分Ｓ２と、陶器吐水口２２に向けて管状に延びる部分Ｓ３が形成されている。
【００２３】
次に、図３により、本発明の第１実施形態によるリムノズルの構造を説明する。
図３に示すように、リムノズル２６は、ノズル本体３０と、このノズル本体３０をリムノズル取付口２４に取り付けるためのＬ字型パッキン３２、スペーサ３４及び鍔付きナット３６を有している。さらに、ノズル本体３０の先端側には、ノズルキャップ４０が取り付けられている。
【００２４】
さらに、図３により、本発明の第１実施形態によるリムノズルのノズルキャップ４０の構造を説明する。
先ず、図３に示すように、ノズル本体３０には、洗浄水が通る導水路３０ａが形成され、ノズルキャップ４０には、ノズル本体３０の先端側に取り付けられ導水路３０ａに対して開口している基端部４２が形成されている。また、ノズルキャップ４０には、この基端部４２に隣接して洗浄水吐出開口部４４が形成されている。洗浄水吐出開口部４４は、♯２０以下のメッシュ（網）で形成されノズルキャップ４０のほぼ全周にわたって延びると共に所定の軸線方向長さ（例えば、十数ｍｍ）を有する。さらに、この洗浄水吐出開口部４４に隣接して、キャップ導水路４６が形成され、このキャップ導水路４６の先端側には、閉口して洗浄水が衝突するようになっている終端部（遮蔽部）４８が形成されている。キャップ導水路４６は、１２ｍｍ〜１３ｍｍの軸線方向長さＬを有している。
【００２５】
次に、図４により本発明の第１実施形態の作用効果を説明する。図４は、図３と同様に示すリムノズル及び空間部の断面図に、洗浄水の流れの様子を模式的に示したものである。
第１実施形態では、先ず、洗浄水Ｗ１が、導水路３０ａを通り、その水圧で、洗浄水吐出開口部４４を通り過ぎ、キャップ導水路４６まで届く。このキャップ導水路４６に届いた洗浄水Ｗ１は、終端部４８に衝突する。この衝突により、洗浄水Ｗ１の流速は一時的に０（ゼロ）となり、その後、洗浄水Ｗ２のように、キャップ導水路４６を洗浄水Ｗ１の流れとは逆の方向に且つ洗浄水Ｗ１の流速より小さい流速で流れ、そして、洗浄水吐出開口部４４を経て空間部Ｓに吐出される。
【００２６】
このように本発明の第１実施形態によれば、キャップ導水路４６に届いた洗浄水Ｗ１は、終端部４８に衝突することで、その流速が小さくなる。このように流速が小さくなることで、主に以下の３つの効果が得られる。
先ず、第１に、洗浄水の流速が小さくなり且つ洗浄水吐出開口部４４から側方に向けて洗浄水が流れることで、陶器吐水方向へ直接向かうことなく、洗浄水を空間部Ｓに一時的に滞留させることが出来る。そして、空間部Ｓ、特に、空間部Ｓ３はもちろん、空間部Ｓ２、Ｓ１の空気をゆっくりと押し出して、空間部Ｓに空気が多く滞留することを防止することが出来る。その結果、陶器吐水口２２から空気を押し出した後に陶器吐水口２２を洗浄水で塞ぐようにして洗浄水が吐出されるので、洗浄水の吐出を安定させることが出来る。
なお、洗浄水の流速を小さくするために、キャップ導水路４６の軸線方向長さＬが１２ｍｍ〜１３ｍｍであるのが好ましい。
【００２７】
次に、第２に、特に空間部Ｓ１には、空気が残留し易いが、ノズルから吐出される洗浄水の流速が小さいので、その空気を閉じこめたままにすることが出来る。即ち、洗浄水の流速が小さいので、洗浄水が空気を多く巻き込みながら陶器吐水口２２から吐出されることを防止することが出来る。その結果、特にリム吐水による洗浄の初期段階において、例えば「ボンッ」という音や「ポンポンポン」というような空気の炸裂音或いは混じり音が生じたり、大流量では水（しぶき）が飛んでしまうということを防止することが出来る。特に、空間部Ｓ１、Ｓ２では洗浄水の流速が小さく効果的である。一方、空間部Ｓ３では、空間部Ｓ１、Ｓ２より断面積が小さいので流速が大きくなり、陶器吐水口２２からリム部全体に洗浄水がいきわたるような有効なリム吐水をさせることが出来る。
【００２８】
次に、第３に、上述した第１及び第２の作用が得られるので、従来のようにノズル本体３０の導水路３０ａ及び洗浄水吐出開口部４４の開口面積を小さくして洗浄水の流速を早くしてイジェクター効果を高める必要がなく、開口面積を大きくとることが出来、その結果、リムノズルでの洗浄水の圧損を少なくすることが出来る。
【００２９】
次に、終端部（遮蔽部）４８は、リムノズル本体３０の先端部の開口に対向する位置でリムノズル本体４８に取り付けられ、ノズルキャップ４０に形成されている。従って、終端部４８のノズル本体３０の先端部からの距離を適正に設定し易くなる。また、ノズルに併設するので、陶器からなる便器側の構造を複雑にしなくて済む。
【００３０】
次に、終端部４８は、ノズルキャップ４０に形成され、そのノズルキャップ４０の周囲に、そのノズルキャップ４０の終端部４８に衝突した洗浄水が流出する洗浄水吐出開口部４４が形成されている。このように、ノズルキャップ４０に終端部４８を形成し、終端部４８に衝突した洗浄水が流出する洗浄水吐出開口部４４がノズルキャッ４０の周囲に形成されている。従って、終端部４８に洗浄水が衝突すると共にノズルキャップ４０の周囲に形成された洗浄水吐出開口部４４から側方に洗浄水が流れるので、簡易な構成で洗浄水の流速を下げることが出来、さらに、空間部Ｓの空気を押し出し易くなる。
【００３１】
次に、ノズルキャップ４０は、基端部４２と、洗浄水を遮蔽する終端部４８と、を有し、洗浄水吐出開口部４４は、基端部４２に隣接してノズルキャップ４０のほぼ全周にわたって設けられ、その洗浄水吐出開口部４４と終端部４８との間には、終端部４８に衝突した洗浄水の流速を下げるための所定長さの導水路が形成されている。従って、洗浄水を遮蔽する終端部４８と、キャップ導水路４６とノズルキャップ４０の基端部４２との間に形成された洗浄水吐出開口部４４とを有し、さらに、終端部４８に衝突した洗浄水の流速を下げるための所定長さのキャップ導水路４６を有するので、より確実に洗浄水の流速を下げることが出来る。
【００３２】
次に、洗浄水吐出開口部４４には、そのほぼ全周にわたり網（メッシュ）が取り付けられているので、洗浄水をより確実に終端部４８に衝突させることが出来る。即ち、仮に網を設けない場合には、洗浄水が終端部４８に届く前に洗浄水吐出開口部４４から流出して空気を巻き込んで陶器吐水口２２から吐出させてしまう恐れがあるが、洗浄水吐出開口部４４に網を取り付けることにより、洗浄水の整流性を確保して、洗浄水をより確実に終端部４８に衝突させることが出来、さらに、網であるので、終端部４８に衝突してから逆流してくる流速の小さい洗浄水の洗浄水吐出開口部４４からの洗浄水の流出も可能である。なお、洗浄水の整流性を確保して、洗浄水をより確実に終端部に衝突させることが出来るものであれば、樹脂や金属のシートに小径の穴を多数空けたもの、多孔質材料など網（メッシュ）以外でも良い。また、ノズルキャップの開口を小径の穴を多数空けたものとして、一体に形成しても良い。
【００３３】
次に、図５及び図６により、本発明の第２実施形態によるリムノズル及び空間部の構造を説明する。図５は、本発明の第２実施形態によるリムノズル及び空間部を側方から見た断面図であり、図６は、本発明の第２実施形態によるリムノズル及び空間部の上方から見た断面図である。
図５及び図６に示すように、リム吐水部５０は、陶器吐水口５２、空間部（陶器導水路）Ｓａ、リムノズル取付口５４及びこのリムノズル取付口５４に取り付けられたリムノズル５６を有する。リムノズル５６には、リム側給水路が接続されており、洗浄時には、洗浄水が、リム側給水路、リムノズル５６、空間部Ｓａを順に通って、陶器吐水口５２から吐出されるようになっている。
【００３４】
リムノズル５６は、上述した第１実施形態のノズル本体３０と同様の構成をしており、そのノズル本体３０を空間部Ｓａに向けて延ばしたものであり、第１実施形態と同様の導水路５６ａ（第１実施形態では、３０ａ）がそのまま空間部Ｓａで開口している。
空間部Ｓａには、このリムノズル５６に対向するように遮蔽部材５８が形成されている。この遮蔽部材５８は、陶器で便器と一体に形成しても良いし、樹脂やプラスチック製で便器に取り付けるようにしても良い。遮蔽部材５８は、上方から見ると図６に示すように、空間部Ｓａをその幅方向にわたって閉じるように延び、側方から見ると図５に示すように、上方から下方に向けて突出して形成され、その下方部分に、洗浄水が通る隙間Ｓａ１が形成されている。なお、図７に示すように、上方から見た場合に、遮蔽部材５８の両側に隙間Ｓａ２が形成されていても良い。また、遮蔽部材５８は下方から上方に向けて突出するようにしても良い。この図７は、本発明の第２実施形態の変形例によるリムノズル及び空間部の上方から見た断面図である。
【００３５】
次に、図８により本発明の第２実施形態の作用効果を説明する。図８は、図５と同様に示すリムノズル及び空間部の断面図に、洗浄水の流れの様子を模式的に示したものである。
第２実施形態では、先ず、洗浄水Ｗａ１が、リムノズル導水路５６ａを通り、その水圧で、勢いよく遮蔽部材５８に衝突する。この衝突により、洗浄水Ｗａ１の流速は一時的に０（ゼロ）となり、その後、洗浄水Ｗａ２のように、洗浄水Ｗａ１の流れとは逆の方向に且つ洗浄水Ｗａ１の流速より小さい流速で流れ、そして、隙間Ｓａ１（変形例ではＳａ１及びＳａ２）を経て陶器吐水口５２に吐出される。
【００３６】
このように本発明の第２実施形態によれば、リムノズル導水路５６ａを通った洗浄水Ｗａ１は、遮蔽部材５８に衝突することで、その流速が小さくなる。このように流速が小さくなることで、上述した第１実施形態と同様に主に以下の３つの効果が得られる。
先ず、第１に、洗浄水の流速が小さくなることで、洗浄水を空間部Ｓａに一時的に滞留させることが出来る。そして、空間部Ｓａの空気をゆっくりと押し出して、空間部Ｓａに空気が多く滞留することを防止することが出来る。その結果、陶器吐水口５２から空気を押し出した後に洗浄水が吐出されるので、洗浄水の吐出を安定させることが出来る。
【００３７】
次に、第２に、特に空間部Ｓａには、空気が残留し易いが、ノズルから吐出される洗浄水の流速が小さいので、その空気を閉じこめたままにすることが出来る。即ち、洗浄水の流速が小さいので、洗浄水が空気を巻き込みながら隙間Ｓａ１から吐出されることを防止することが出来る。その結果、特にリム吐水による洗浄の初期段階において、空気の炸裂などが生じたり、大流量での水（しぶき）が飛んでしまうということを防止することが出来る。
【００３８】
次に、第３に、上述した第１及び第２の作用が得られるので、リムノズル導水路５６ａの開口面積を小さくして洗浄水の流速を早くしてイジェクター効果を高める必要がなく、開口面積を大きくとることが出来、その結果、リムノズルでの洗浄水の圧損を少なくすることが出来る。
【００３９】
次に、図９により、本発明の第３実施形態によるリムノズル及び空間部の構造を説明する。図９は、本発明の第３実施形態によるリムノズル及び空間部を側方から見た断面図である。
図９に示すように、リム吐水部６０は、陶器吐水口６２、空間部（陶器導水路）Ｓｂ、リムノズル取付口６４及びこのリムノズル取付口６４に取り付けられたリムノズル６６を有する。リムノズル６６には、リム側給水路が接続されており、洗浄時には、洗浄水が、リム側給水路、リムノズル６６、空間部Ｓｂを順に通って、陶器吐水口６２から吐出されるようになっている。
【００４０】
リムノズル６６は、上述した第１実施形態のノズル本体３０と同様の構成をしており、そのノズル本体３０を空間部Ｓｂに向けて延ばしたものであり、第１実施形態と同様の導水路６６ａ（第１実施形態では、３０ａ）がそのまま空間部Ｓｂで開口している。
空間部Ｓｂには、このリムノズル６６に対向するようにリム遮蔽壁部６８が形成されている。図９に示すように、リム遮蔽壁部６８は、側方から見ると、上方から下方に向けて斜めに延び、その下方部分から、洗浄水が通り陶器吐水口６２に至るリム導水管Ｓｂ１が形成されている。
【００４１】
さらに、この第３実施形態では、空間部Ｓｂの上方に空気ポート７０が設けられている。この空気ポート７０は、空間部Ｓｂ内の空気が孔部７２を通り、空気入りのボール７４の側方を通って、孔部７６から、通路７８へと空気が逃げるようにしたものである。そして、空間部Ｓｂが満水になると、ボール７４が上昇して孔部７６を塞ぎ、洗浄水が通路７８へ逃げることを防止するようになっている。
なお、第２実施形態で説明した遮蔽部材５８をこの第３実施形態による空間部Ｓｂ内に設置しても良い。
【００４２】
次に、図１０により本発明の第３実施形態の作用効果を説明する。図１０は、図９と同様に示すリムノズル及び空間部の断面図に、洗浄水の流れの様子を模式的に示したものである。
第３実施形態では、先ず、洗浄水Ｗｂ１が、リムノズル導水路６６ａを通り、その水圧で、勢いよくリム遮蔽壁部６８に衝突する。この衝突により、洗浄水Ｗｂ１の流速は一時的に０（ゼロ）となり、その後、洗浄水Ｗｂ２のように、洗浄水Ｗｂ１の流れとは逆の方向に且つ洗浄水Ｗｂ１の流速より小さい流速で流れ、そして、隙間Ｓｂ１を経て陶器吐水口６２に吐出される。
【００４３】
このように本発明の第３実施形態によれば、リムノズル導水路６６ａを通った洗浄水Ｗｂ１は、リム遮蔽壁部６８に衝突することで、その流速が小さくなる。このように流速が小さくなることで、上述した第１実施形態と同様に主に以下の３つの効果が得られる。
先ず、第１に、洗浄水の流速が小さくなることで、洗浄水を空間部Ｓｂに一時的に滞留させることが出来る。そして、空間部Ｓｂの空気をゆっくりと押し出して、空間部Ｓｂに空気が多く滞留することを防止することが出来る。その結果、陶器吐水口６２から空気を押し出した後に洗浄水が吐出されるので、洗浄水の吐出を安定させることが出来る。
【００４４】
次に、第２に、空間部Ｓｂには、空気が残留し易いが、この空気を空気ポート７０により外部に逃がすことが出来る。この空気ポート７０の作用については後述する。そして、まだ空気が残っている間でも、リムノズル６６から吐出される洗浄水の流速が小さいので、洗浄水が空気を巻き込みながらリム導水管Ｓｂ１へと吐出されることを防止することが出来る。その結果、特にリム吐水による洗浄の初期段階において、空気の炸裂などが生じたり、大流量での水（しぶき）が飛んでしまうということを防止することが出来る。
【００４５】
次に、第３に、上述した第１及び第２の作用が得られるので、リムノズル導水路６６ａの開口面積を小さくして洗浄水の流速を早くしてイジェクター効果を高める必要がなく、開口面積を大きくとることが出来、その結果、リムノズルでの洗浄水の圧損を少なくすることが出来る。
【００４６】
さらに、空気ポート７０の作用効果を説明する。
リムノズル６６から吐出された洗浄水は、陶器吐水口６２の吐水流路（リム導水管）Ｓｂ１で圧損を受けるが、この場合でも、さらにリムノズル６６から洗浄水が吐出されるため、空間部Ｓｂ内の空気（符号Ａｉｒ）は、洗浄水と置換されるように、孔部７２を通り、孔部７６及び通路７８から排出される。
【００４７】
空間部Ｓｂ内の空気の置換が終わると、空気ポート７０へ向かう流路途中に設けられているボール７４がその浮力により空気ポート７０の孔部７６を塞ぎ、洗浄水が空気ポート７０から排出されないようになっている。このため空間部Ｓｂ内は満水状態となり、安定した吐出が可能となる。なお、空気ポート７０から洗浄水が若干流出される恐れがある場合には、その洗浄水をボウル内やタンク内に排出出来るようにボムホースなどを接続して排出流路を形成しておくのが良い。
【００４８】
次に、第３実施形態では、空間部Ｓｂの上方に設けられ空間部Ｓｂ内に滞留した空気を排出する空気ポート７０を有し、陶器吐水口６２の断面積は空間部Ｓｂの断面積よりも小さく、空間部Ｓｂにはノズル本体の開口部に対向して遮蔽部となる壁面部６８が形成され、空間部Ｓｂ内に吐出された洗浄水が空間部Ｓｂに溜まるにつれて空間部Ｓｂに残留した空気が空気ポートから吐出されるようになっている。このような構成によれば、リムノズル６６から吐出された洗浄水が隙間Ｓｂ１及び陶器吐水口６２で圧損を受けるが、この場合でも、さらにリムノズル６６から洗浄水が吐出されるため、空間部Ｓｂ内の空気を、洗浄水と置換されるように、空気ポート７０から排出させることが出来る。
【図面の簡単な説明】
【００４９】
【図１】本発明の第１実施形態による水洗便器の平面図である。
【図２】図１のIIの部分を拡大して示すリムノズル及び空間部を上方から見た断面図である。
【図３】図１のIII-III線に沿って見たリムノズル及び空間部の側方から見た断面図である。
【図４】図３と同様に示すリムノズル及び空間部の断面図に、洗浄水の流れの様子を模式的に示したものである。
【図５】本発明の第２実施形態によるリムノズル及び空間部を側方から見た断面図である。
【図６】本発明の第２実施形態によるリムノズル及び空間部の上方から見た断面図である。
【図７】本発明の第２実施形態の変形例によるリムノズル及び空間部の上方から見た断面図である。
【図８】図５と同様に示すリムノズル及び空間部の断面図に、洗浄水の流れの様子を模式的に示したものである。
【図９】本発明の第３実施形態によるリムノズル及び空間部を側方から見た断面図である。
【図１０】図９と同様に示すリムノズル及び空間部の断面図に、洗浄水の流れの様子を模式的に示したものである。
【図１１】従来技術によるリム吐水口構造を示す断面図である。
【符号の説明】
【００５０】
１  水洗便器
１２  リム部
２０、５０、６０  リム吐水部
２２、５２、６２  陶器吐水口（リム吐水口）
２６、５６、６６  リムノズル
３０  ノズル本体
３０ａ  導水路
４０  ノズルキャップ
４２  基端部
４４  洗浄水吐出開口部
４６  キャップ導水路
４８  終端部（遮蔽部）
５８  遮蔽部材
６８  リム遮蔽壁部
７０  空気ポート
７２、７６  孔部
７４  ボール
７８  通路
Ｓ（Ｓ１、Ｓ２、Ｓ３）、Ｓａ、Ｓｂ  空間部（陶器導水路）
Ｓａ１、Ｓａ２  洗浄水が通る隙間
Ｓｂ１  リム導水管
【図１】
0005446024.tif 000002
【図２】
0005446024.tif 000003
【図３】
0005446024.tif 000004
【図４】
0005446024.tif 000005
【図５】
0005446024.tif 000006
【図６】
0005446024.tif 000007
【図７】
0005446024.tif 000008
【図８】
0005446024.tif 000009
【図９】
0005446024.tif 000010
【図１０】
0005446024.tif 000011
【図１１】
0005446024.tif 000012